Podtech/llm-jp-corpus-v4-ja_patent huggingface dataset:
【手続補正書】
【提出日】平成16年10月28日(2004.10.28)
【手続補正１】
【補正対象書類名】明細書
【補正対象項目名】特許請求の範囲
【補正方法】変更
【補正の内容】
【特許請求の範囲】
【請求項１】
式ＣＨ2＝ＣＨＲ1（Ｒ1は水素、Ｃ1−Ｃ20−アルキルまたはＣ6−Ｃ12−アリール基である）の１以上のオレフィンと、金属−π結合を含まないＴｉまたはＶの化合物およびＭｇハライドからなり、任意に１以上の電子ドナー化合物を含む球状粒子の形態の固体触媒成分をアルミニウム−アルキル（Ａｌ−アルキル）化合物と反応させることにより得られる触媒とを、温度Ｔ1で重合反応器中で接触させ、次いで温度を重合温度まで昇温させることからなり、前記工程が、
（Ｉ）温度Ｔ1が４０℃より低いとき、温度を、反応器中への触媒系の導入後、少なくとも１分間で、反応器の温度Ｔ2が次の条件：
[(Ｔ2−Ｔ1)／ｍ]＞１０
（式中、ｍは温度Ｔ2に到達するために使用される、分で表現した時間である）
を満たす方法で重合温度まで昇温するか、または
（II）温度Ｔ1が４０℃であるかもしくは高いとき、反応器を少なくとも１分間、４５℃から６５℃の範囲の温度で保持する
ことを特徴とする多孔性オレフィンポリマーの製造方法。
【請求項２】
温度Ｔ1が、２８℃から重合温度の範囲である請求項１による方法。
【請求項３】
−請求項１または２で定義された方法により得られた多孔性ポリマー、
−適切な触媒成分および
−適切な助触媒を、いずれの順序でも接触させることにより得られる固体触媒系。
【請求項４】
適切な触媒成分が、元素の周期律表（新ＩＵＰＡＣ版）の３〜１０族から選択される遷移金属Ｍの化合物から選択される請求項３による固体触媒系。
【請求項５】
式ＣＨ2＝ＣＨＲ1（Ｒ1は水素、Ｃ1−Ｃ20−アルキルまたはＣ6−Ｃ12−アリール基である）の１以上のオレフィンの、次の工程：
（Ａ）請求項１または２の方法により、１以上の反応器中で前記オレフィンＣＨ2＝ＣＨＲ1を重合すること；
（Ｂ）任意に工程（Ａ）の下で使用された触媒の不活性化および工程（Ａ）の下で得られた製品と、請求項３または４の適切な触媒成分および任意にＡｌ−アルキル化合物またはアルモキサンまたはアルキルメタロセン陽イオンを形成し得る化合物とを接触させること；
（Ｃ）１以上の反応器中で、工程（Ｂ）で得られた製品の存在下で、前記のオレフィンＣＨ2＝ＣＨＲ1の１以上を重合すること
からなる重合方法。
【請求項６】
任意に、式ＣＨ2＝ＣＨＲ4（Ｒ4は水素、Ｃ2−Ｃ20−アルキルまたはＣ6−Ｃ12−アリール基である）のオレフィンから誘導される単位を０．１〜２０モル％含有し、球状粒子の形態で、前記ポリマーが０．５４ｃｃ／ｇより大きい空隙率と１０μｍより大きい空隙寸法分布曲線の最大値を有することで特徴付けられるプロピレンポリマー。
【手続補正書】
【提出日】平成16年11月11日(2004.11.11)
【手続補正１】
【補正対象書類名】明細書
【補正対象項目名】特許請求の範囲
【補正方法】変更
【補正の内容】
【特許請求の範囲】
【請求項１】  （ａ）Ｍｇジハライドとルイス塩基との付加物のエマルションを、付加物に対して不活性な液状媒体中で形成し、
（ｂ）作動中の冷却液体を含む冷却浴中にエマルションを移送することによりエマルションを冷却する工程からなり
冷却液体が管状ゾーンの内側を移動し、工程（ａ）から移送するエマルションの速度（ｖe）と冷却液体の速度（ｖref）の比ｖe／ｖrefが０．２５と４の間であることを特徴とする球状支持体粒子の製造方法。
【請求項２】  比ｖe／ｖrefが０．５と２の間であることを特徴とする請求項１による方法。
【請求項３】  付加物に対して不活性な液状媒体が、脂肪族及び芳香族炭化水素、シリコーンオイル、液状ポリマー又はこれら化合物の混合物からなる群から選択されることを特徴とする請求項１による方法。
【請求項４】  液状媒体が、室温で３０ｃＳｔと３００ｃＳｔの間の粘度を有するパラフィンオイル又はシリコーンオイルであることを特徴とする請求項３による方法。
【請求項５】  ルイス塩基が、式ＲＯＨ（Ｒは１〜１０の炭素原子を含むアルキル基である）のアルコールであることを特徴とする請求項１による方法。
【請求項６】  Ｍｇジハライドが、ＭｇＣｌ2であることを特徴とする請求項１による方法。
【請求項７】  付加物が、式ＭｇＣｌ2・ｍＲＯＨ・ｎＨ2Ｏ（ｍは０．１〜６、ｎは０〜０．７、Ｒは１〜１０の炭素原子を含むアルキル基である）である請求項１〜６による方法。
【請求項８】  工程（ａ）が、混合機中で行われる請求項１による方法。
【請求項９】  工程（ａ）で形成されるエマルションのλk値が、５μｍと１５０μｍの間であることを特徴とする請求項１〜８による方法。
【請求項１０】  工程（ａ）におけるＲｅM値が、１０，０００〜８０，０００の範囲であることを特徴とする請求項１〜９による方法。
【請求項１１】  工程（ａ）で形成されるエマルションが、次に冷却浴の一端に接続されたパイプを使用することにより冷却浴中に移送されることを特徴とする請求項１〜１０による方法。
【請求項１２】  冷却浴中の移送が、パイプ中のレイノルズ数が３，０００より高い条件下で行われる請求項１１による方法。
【請求項１３】  冷却液体が、脂肪族及び芳香族炭化水素からなる群から選択される請求項１による方法。
【請求項１４】  冷却浴中の冷却液体の温度が、−２０℃〜２０℃の範囲である請求項１による方法。
【請求項１５】  冷却浴が、冷却液体が周回するループ反応器からなり、ループへのエマルションの入射方向と冷却液体の流動方向により形成される角αが、４５°未満であることを特徴とする請求項１〜１４による方法。
【手続補正書】
【提出日】平成16年12月20日(2004.12.20)
【手続補正１】
【補正対象書類名】明細書
【補正対象項目名】請求項１
【補正方法】変更
【補正の内容】
【請求項１】
過酸化物のための反応性希釈剤を含む過酸化物組成物において、希釈剤はそれ自身が減感剤であり、１以上のビニルエーテル基を含み、式１に従う（モノマー状）構造を有する成分であるか、
(Ａ−ＣＨ＝ＣＨ−Ｏ)n−Ｒ          （式１）
ここで
Ａは、水素、又は１〜３のＣ原子のアルキル基を表し、ここで、もし１より多い
Ａがあるならば、個々のＡ基は同じであるか又は異なっていてもよく、
Ｒは、分岐状であってもよい、１〜２０のＣ原子を有する脂肪族基を表し、該脂
肪族基は、シクロヘキシル又は１，４-ジメチレンシクロヘキシル基及び
炭素鎖中に１以上のＯ及び/又はＳ原子をもまた含んでもよく、１〜３の
Ｃ原子の１又は２のアルキル基で置換されてもよい水酸基又はアミノ基の
いずれかから選択される１以上の官能基で置換されていてもよい、
又は鎖の遊離の水酸基に結合した、１〜５のＣ原子を有する脂肪族基を有
してもよい、２〜１２０のグリコール単位の平均鎖長を有する、ポリエチ
レングリコール又はポリプロピレングリコールを表し、
ｎは、１，２，３，又は４である、
又は、１以上のビニルエーテル基を含む成分を共有結合的に組み込まれた形で含む適切な樹脂状化合物であることを特徴とする、過酸化物組成物。
【手続補正２】
【補正対象書類名】明細書
【補正対象項目名】請求項４
【補正方法】変更
【補正の内容】
【請求項４】
１以上のビニルエーテル基を含む成分を共有結合的に組み込まれた形で含む樹脂状化合物が、
ａ）少なくとも１の水酸基及び少なくとも１のビニルエーテル基を含む第１化合
物（ＨＶＥ-化合物）、
ｂ）１以上のウレタン基の生成を伴って反応する、ジイソシアネート（又は
より高次のイソシアネート）である第２化合物（Ｄ／ＨＩＣ‐化合物）、及
び
ｃ）（１）Ｃ2〜6のグリコール、（２）２〜５の水酸基を有するＣ5〜20のポリ
オール、及び（３）アルキド樹脂ではなく、１〜５の遊離の水酸基及び２〜
５０のモノマー状エステル単位を有する、飽和又は（エチレン性）不飽和の
、水酸基末端のポリエステル化合物の群から選択される第３
化合物（Ｇ／Ｐ／ＨＰ−化合物）又はその混合物、
の適当な量の混合物の反応により得られることを特徴とする、請求項１に記載の過酸化物組成物。
【手続補正３】
【補正対象書類名】明細書
【補正対象項目名】請求項６
【補正方法】変更
【補正の内容】
【請求項６】
樹脂状化合物が、過酸化物組成物及び／又はそれの最終用途における過酸化物の溶解度に影響を及ぼすため、１以上の追加の置換基を有することを特徴とする、請求項４〜５のいずれか１項に記載の過酸化物組成物。
【手続補正４】
【補正対象書類名】明細書
【補正対象項目名】請求項１１
【補正方法】変更
【補正の内容】
【請求項１１】
有機又は無機過酸化物が、１以上のビニルエーテル基を含み、式１に従う構造を有する成分の群から選択される、それ自身が減感剤である反応性希釈剤と混合されるか、
(Ａ−ＣＨ＝ＣＨ−Ｏ)n−Ｒ          （式１）
又は、請求項４に示される、ａ），ｂ），及びｃ）の適切な量の混合物の反応により得られる、１以上のビニルエーテル基を含む成分を共有結合的に組み込まれた形で含む適切な樹脂状化合物と混合されることを特徴とする、過酸化物のための反応性希釈剤を含む過酸化物組成物を製造する方法。
【手続補正５】
【補正対象書類名】明細書
【補正対象項目名】請求項１２
【補正方法】変更
【補正の内容】
【請求項１２】ラジカル的に硬化され得る樹脂の硬化方法において、請求項１〜１０のいずれか１項に従う、又は請求項１１に従って製造される、反応性希釈剤を含む過酸化物組成物を用いる方法。
【手続補正書】
【提出日】平成16年10月4日(2004.10.4)
【手続補正１】
【補正対象書類名】明細書
【補正対象項目名】特許請求の範囲
【補正方法】変更
【補正の内容】
【特許請求の範囲】
【請求項１】  下記の成分ａ）〜ｃ）を含有する２成分系被覆組成物：
ａ）ポリイソシアネート成分、
ｂ）イソシアネート−反応性成分、および
ｃ）少なくとも１個のエポキシ基および少なくとも１個のアルコキシシラン基を有する化合物（該化合物の含有量は、成分ａ）とｂ）の重量に基づいて０．１〜１．８重量％である。）。
【手続補正書】
【提出日】平成16年12月17日(2004.12.17)
【手続補正１】
【補正対象書類名】明細書
【補正対象項目名】特許請求の範囲
【補正方法】変更
【補正の内容】
【特許請求の範囲】
【請求項１】
胸腺上皮前駆細胞（ＴＥＰＣ）の分化に必須である遺伝子の発現をＴＥＰＣにおいて可逆的に抑制する少なくとも１つの核酸構築物を含む、動物細胞。
【請求項２】
胸腺上皮前駆細胞（ＴＥＰＣ）の分化に必須であるＦｏｘｎ１発現を可逆的に抑制する核酸構築物を含む、胸腺上皮前駆細胞（ＴＥＰＣ）。
【請求項３】
請求項２に記載のＴＥＰＣ株。
【請求項４】
請求項１、２、または３に記載の細胞またはＴＥＰＣ、および薬学的に受容可能なベヒクル、希釈剤、またはキャリアを含む、薬学的組成物。
【請求項５】
皮質または髄質の胸腺上皮の発生運命への前記ＴＥＰＣの分化を促進する１以上の因子をさらに含む、請求項４に記載の組成物。
【請求項６】
患者における胸腺機能を回復または増強させる組成物であって、請求項１、２、または３に記載の細胞またはＴＥＰＣの薬学的有効量、または請求項４または５に記載の薬学的組成物を含む、方法。
【請求項７】
胸腺機能を回復または増強するための医薬品の製造における、請求項１、２、または３に記載の細胞またはＴＥＰＣの使用。
【請求項８】
成熟胸腺上皮細胞を得るためのインビトロ方法であって、該細胞、または１以上のその祖先を、少なくとも１つの生存性促進因子と接触させることによって、単離された胸腺上皮前駆細胞（ＴＥＰＣ）の集団の生存性を改善する工程、および該ＴＥＰＣの分化を可能にするまたは引き起こす工程を含み、該生存性促進因子が、該ＴＥＰＣの分化に必須である遺伝子の発現をＴＥＰＣにおいて可逆的に抑制する、方法。
【請求項９】
前記少なくとも１つの生存性促進因子が、皮質および／または髄質の胸腺上皮細胞への前記ＴＥＰＣの分化を阻害する、請求項８に記載の方法。
【請求項１０】
前記少なくとも１つの生存性促進因子が、インスリン様成長因子１（ＩＧＦ−１）、上皮増殖因子（ＥＧＦ）、インスリン、ヒドロコルチゾン、トランスフェリン、高密度リポタンパク質（ＨＤＬ）、骨形成因子（ＢＭＰ）２、ＢＭＰ４および／またはＢＭＰ７からなる群より選択される、請求項８または９に記載の方法。
【請求項１１】
前記少なくとも１つの生存性促進因子が、前記集団におけるＴＥＰＣの遺伝子型の変化を引き起こす、請求項８または９に記載の方法。
【請求項１２】
前記少なくとも１つの生存性促進因子が、不死化癌遺伝子を含むまたは該遺伝子からなる、請求項１１に記載の方法。
【請求項１３】
前記少なくとも１つの生存性促進因子が、条件付きで不活性化可能である、請求項１１または１２に記載の方法。
【請求項１４】
前記少なくとも１つの生存性促進因子が、Ｆｏｘｎ１発現の可逆的抑制を引き起こす、請求項８から１３のいずれか１項に記載の方法。
【請求項１５】
ヒトＨＳＣからのヒトＴ細胞の生成における、請求項２または３に記載の細胞から得られる、非ヒト皮質および／または髄質の胸腺上皮細胞の使用。
【請求項１６】
成熟胸腺上皮細胞を得る方法であって、細胞生存に伝導性のある培養条件下で動物細胞のソースを維持することによってＴＥＰＣに対する該動物細胞の集団を富化する工程であって、該動物細胞のソースが、ＴＥＰＣの分化を可逆的に阻害する核酸構築物を含む動物細胞を含む、工程；該動物細胞を培養する工程；および続いて該阻害を逆にすることによって該ＴＥＰＣの分化を可能にするまたは引き起こす工程、を含む、方法。
【請求項１７】
前記ＴＥＰＣの分化が、ＴＥＰＣの分化に必須である遺伝子の発現を可逆的に抑制する前記動物細胞に、遺伝子構築物を挿入することによって阻害される、請求項１６に記載の方法。
【請求項１８】
請求項１７に記載の方法に適切な細胞のソースを含む、トランスジェニック非ヒト動物。
【請求項１９】
請求項１７に記載の方法における使用に適切となるように細胞を遺伝学的に改変するために使用するベクターであって、ＴＥＰＣの分化に必須である遺伝子の発現を可逆的に抑制するように前記動物細胞のゲノムを結合する配列を含む、ベクター。
【請求項２０】
前記動物細胞のゲノムとの相同的組換えのための、請求項１９に記載のベクター。
【請求項２１】
動物細胞のＦｏｘｎ１遺伝子への相同的組換えのための、請求項２０に記載のベクター。
【請求項２２】
ヒト細胞のＦｏｘｎ１遺伝子への相同的組換えのための、請求項２０に記載のベクター。
【請求項２３】
部位特異的組換えによって組込まれた構築物を後で切除することを可能にする認識配列をさらに含む、請求項１９から２２のいずれかの項に記載のベクター。
【請求項２４】
Ｔ細胞発生における遺伝子機能をアッセイするための、請求項２または３に記載のＴＥＰＣの使用。
【請求項２５】
前記認識配列が、ＬｏｘＰまたはＦＲＴ部位である、請求項２３に記載のベクター。
【請求項２６】
ヒト以外の患者における胸腺機能を回復または増強させる方法であって、請求項１、２、または３に記載の細胞またはＴＥＰＣの薬学的有効量、または請求項４または５に記載の薬学的組成物を、該ヒト以外の患者に投与する工程を含む、方法。
【手続補正書】
【提出日】平成12年7月12日(2000.7.12)
【手続補正１】
【補正対象書類名】明細書
【補正対象項目名】請求項１
【補正方法】変更
【補正の内容】
【請求項１】
エシェリキア・コリ菌株ＤＳＭ６６０１の同定法において、ＰＣＲ反応において、図１〜４中に記載されたＤＮＡ配列を有するＭｕｔａ１からＭｕｔａ１０までのプライマー対を使用することを特徴とする、エシェリキア・コリ菌株ＤＳＭ６６０１の同定法。
【手続補正２】
【補正対象書類名】明細書
【補正対象項目名】請求項３
【補正方法】変更
【補正の内容】
【請求項３】
工程ｂ）からｄ）までを少なくとも２０回繰り返す、請求項１又は２に記載の方法。
【手続補正書】
【提出日】平成16年9月13日(2004.9.13)
【手続補正１】
【補正対象書類名】明細書
【補正対象項目名】特許請求の範囲
【補正方法】変更
【補正の内容】
【特許請求の範囲】
【請求項１】  再使用可能な熱パックであって、無機物質の過冷却過飽和の再結晶可能な溶液、アルコール、アニリンの混合物を含有する軟質密封プラスチックバッグと、無機物質の過冷却過飽和の再結晶可能な溶液の再結晶を誘発する手段とを含んでなる再使用可能な熱パック。
【請求項２】  プラスチックバッグが、ポリプロピレンまたはポリビニルクロライドから作られている、請求の範囲第１項に記載の再使用可能な熱パック。
【請求項３】  無機物質が、酢酸ナトリウムおよび硝酸カルシウムから選択される、請求の範囲第１項に記載の再使用可能な熱パック。
【請求項４】  無機物質の過冷却過飽和の再結晶可能な溶液が、実質的に純粋な水中で作られている、請求の範囲第１項に記載の再使用可能な熱パック。
【請求項５】  実質的に純粋な水が、細菌不含の公営供給水または蒸留水を含んでなる、請求の範囲第４項に記載の再使用可能な熱パック。
【請求項６】  用いられるアルコールが、エチレングリコールおよびグリセロールから選択される、請求の範囲第１項に記載の再使用可能な熱パック。
【請求項７】  過冷却過飽和の再結晶可能な溶液が、酢酸ナトリウムの水和塩５０〜７０ｗｔ％、エチレングリコール１〜１０ｗｔ％、アニリン１０〜２０ｗｔ％および水１０〜２９ｗｔ％の混合物を含んでなる、請求の範囲第１項に記載の再使用可能な熱パック。
【請求項８】  再結晶を誘発する手段が、ワニ口クリップおよび安全ピンから成る群から選択された機械装置を含んでなる、請求の範囲第１項に記載の再使用可能な熱パック。
【請求項９】  誘発手段の材料が、非腐蝕性材料を含んでなる、請求の範囲第１項に記載の再使用可能な熱パック。
【請求項１０】  誘発手段の非腐蝕性材料が、ステンレス鋼を含んでなる、請求の範囲第９項に記載の再使用可能な熱パック。
【請求項１１】  熱パックに用いるための過冷却過飽和の再結晶可能な溶液であって、無機物質の溶液、アルコールおよびアニリンの混合物を含んでなる上記過冷却過飽和の再結晶可能な溶液。
【請求項１２】  酢酸ナトリウムの水和塩５０〜７０ｗｔ％、エチレングリコール１〜１０ｗｔ％、アニリン１０〜２０ｗｔ％および水１０〜２９ｗｔ％の混合物を含んでなる、請求の範囲第１１項に記載の過冷却過飽和の再結晶可能な溶液。
【請求項１３】  再使用可能な熱パックに用いるための混合物の製造方法であって、水中の無機物質の水和溶液を製造し、この溶液にアルコールを添加しそして十分に混合し、アニリンを添加しそして生じた混合物を十分に混合することを含んでなる上記方法。
【請求項１４】  再使用可能な熱パックの製造方法であって、水中の無機物質の水和溶液を製造し、この溶液にアルコールを添加しそして十分に混合し、アニリンを添加しそして生じた混合物を十分に混合し、この混合物を軟質密封プラスチックバッグ中に封入し、そしてこれに誘発手段を加えることを含んでなる上記方法。
【手続補正書】
【提出日】平成15年5月21日(2003.5.21)
【手続補正１】
【補正対象書類名】明細書
【補正対象項目名】特許請求の範囲
【補正方法】変更
【補正の内容】
【特許請求の範囲】
【請求項１】
火炎を消火する方法であって、該方法は、ＣＦ３ＣＨＦＣＦ２ＯＣＨ２Ｆ，  ＣＦ３ＣＨＦＣＦ２ＯＣＦ２Ｈ，  ＣＦ３ＣＨＦＣＦ２ＯＣＦ３，  （ＣＦ３）２ＣＨＣＦ２ＯＣＨ３，  （ＣＦ３）２ＣＨＣＦ２ＯＣＨ２Ｆ，  （ＣＦ３）２ＣＨＣＦ２ＯＣＨＦ２，  （ＣＦ３）２ＣＨＣＦ２ＯＣＦ３，  ＣＦ３ＣＦ＝ＣＦＯＣＨ３，  ＣＦ３ＣＦ＝ＣＦＯＣＨ２Ｆ，  ＣＦ３ＣＦ＝ＣＦＯＣＨＦ２，  ＣＦ３ＣＦ＝ＣＦＯＣＦ３，  ＣＦ２＝ＣＦＣＦ２ＯＣＨ３，  ＣＦ２＝ＣＦＣＦ２ＯＣＨ２Ｆ，  ＣＦ２＝ＣＦＣＦ２ＯＣＦ２Ｈ，  ＣＦ２＝ＣＦＣＦ２ＯＣＦ３，  （ＣＦ３）２Ｃ＝ＣＦＯＣＨ３，  （ＣＦ３）２Ｃ＝ＣＦＯＣＨ２Ｆ，  （ＣＦ３）２Ｃ＝ＣＦＯＣＦ２Ｈ，  （ＣＦ３）２Ｃ＝ＣＦＯＣＨ３，  ＣＦ２＝Ｃ（ＣＦ３）ＣＦ２ＯＣＨ３，  ＣＦ２＝Ｃ（ＣＦ３）ＣＦ２ＯＣＨ２Ｆ，  ＣＦ２＝Ｃ（ＣＦ３）ＣＦ２ＯＣＦ２Ｈ及びＣＦ２＝Ｃ（ＣＦ３）ＣＦ２ＯＣＦ３からなる群から選択される化合物からなる組成物を消火可能濃度で前記火炎に導入する過程と、前記火炎が消火されるまで前記化合物の濃度を維持する過程とを具備することを特徴とする火炎消火方法。
【請求項２】
請求項１に記載の方法において、前記化合物は、ＣＦ３ＣＨＦＣＦ２ＯＣＨ３，  ＣＦ３ＣＨＦＣＦ２ＯＣＨ２Ｆ，  ＣＦ３ＣＨＦＣＦ２ＯＣＦ２Ｈ，  ＣＦ３ＣＨＦＣＦ２ＯＣＦ３，  （ＣＦ３）２ＣＨＣＦ２ＯＣＨ３，  （ＣＦ３）２ＣＨＣＦ２ＯＣＨ２Ｆ，  （ＣＦ３）２ＣＨＣＦ２ＯＣＨＦ２，  （ＣＦ３）２ＣＨＣＦ２ＯＣＦ３からなる群から選択されるものであることを特徴とする火炎消火方法。
【請求項３】
請求項１に記載の方法において、前記化合物は、少なくとも約３％（体積比）のレベルで用いられることを特徴とする火炎消火方法。
【請求項４】
請求項１に記載の方法において、前記化合物は、全域放出消火システムに用いられることを特徴とする火炎消火方法。
【請求項５】
請求項１に記載の方法において、前記化合物は、ポータブル消火システムに用いられることを特徴とする火炎消火方法。
【請求項６】
請求項１に記載の方法において、前記組成物は、他の消火剤との混合からなることを特徴とする火炎消火方法。
【請求項７】
請求項６に記載の方法において、前記その他の消火剤は、ＣＦ３ＣＨＦＣＦ３，  ＣＦ３ＣＦ２ＣＦ２Ｈ，  ＣＦ３ＣＨ２ＣＦ３，ＣＦ３ＣＦ２Ｈ及びＣＦ３Ｈからなる群から選択されるものであることを特徴とする火炎消火方法。
【請求項８】
火炎消火剤であって、ＣＦ３ＣＨＦＣＦ２ＯＣＨ２Ｆ，  ＣＦ３ＣＨＦＣＦ２ＯＣＦ２Ｈ，  ＣＦ３ＣＨＦＣＦ２ＯＣＦ３，  （ＣＦ３）２ＣＨＣＦ２ＯＣＨ３，  （ＣＦ３）２ＣＨＣＦ２ＯＣＨ２Ｆ，  （ＣＦ３）２ＣＨＣＦ２ＯＣＨＦ２，  （ＣＦ３）２ＣＨＣＦ２ＯＣＦ３，  ＣＦ３ＣＦ＝ＣＦＯＣＨ３，  ＣＦ３ＣＦ＝ＣＦＯＣＨ２Ｆ，  ＣＦ３ＣＦ＝ＣＦＯＣＨＦ２，  ＣＦ３ＣＦ＝ＣＦＯＣＦ３，  ＣＦ２＝ＣＦＣＦ２ＯＣＨ３，  ＣＦ２＝ＣＦＣＦ２ＯＣＨ２Ｆ，  ＣＦ２＝ＣＦＣＦ２ＯＣＦ２Ｈ，  ＣＦ２＝ＣＦＣＦ２ＯＣＦ３，  （ＣＦ３）２Ｃ＝ＣＦＯＣＨ３，  （ＣＦ３）２Ｃ＝ＣＦＯＣＨ２Ｆ，  （ＣＦ３）２Ｃ＝ＣＦＯＣＦ２Ｈ，  （ＣＦ３）２Ｃ＝ＣＦＯＣＨ３，  ＣＦ２＝Ｃ（ＣＦ３）ＣＦ２ＯＣＨ３，  ＣＦ２＝Ｃ（ＣＦ３）ＣＦ２ＯＣＨ２Ｆ，ＣＦ２＝Ｃ（ＣＦ３）ＣＦ２ＯＣＦ２Ｈ及びＣＦ２＝Ｃ（ＣＦ３）ＣＦ２ＯＣＦ３からなる群から選択される化合物からなることを特徴とする火炎消火剤。
【請求項９】
ＣＨ３ＣＨＦＣＦ２ＯＣＦ２Ｈを生成するための方法であって、該方法は、
(i)  ＣＦ３ＣＨＦＣＦ２ＯＣＨ３を生成するために、塩基の存在の下メタノールをヘキサフルオロプロペンと反応させる過程と、
(ii)  ＣＦ３ＣＨＦＣＦ２ＯＣＨＣｌ２を生成するために、ＣＦ３ＣＨＦＣＦ２ＯＣＨ３をＣｌ２で塩素化する過程と、
(iii)  ＣＦ３ＣＨＦＣＦ２ＯＣＦ２Ｈを生成するために、ＣＦ３ＣＨＦＣＦ２ＯＣＨＣｌ２をＨＦでフッ素化する過程と、
を具備することを特徴とするＣＨ３ＣＨＦＣＦ２ＯＣＦ２Ｈの生成方法。
【請求項１０】
ＣＦ３ＣＨＦＣＦ２ＯＣＨ２Ｆ，  ＣＦ３ＣＨＦＣＦ２ＯＣＦ２Ｈ，  ＣＦ３ＣＨＦＣＦ２ＯＣＦ３，  （ＣＦ３）２ＣＨＣＦ２ＯＣＨ３，  （ＣＦ３）２ＣＨＣＦ２ＯＣＨ２Ｆ，  （ＣＦ３）２ＣＨＣＦ２ＯＣＨＦ２，  （ＣＦ３）２ＣＨＣＦ２ＯＣＦ３，  ＣＦ３ＣＦ＝ＣＦＯＣＨ３，  ＣＦ３ＣＦ＝ＣＦＯＣＨ２Ｆ，  ＣＦ３ＣＦ＝ＣＦＯＣＨＦ２，  ＣＦ３ＣＦ＝ＣＦＯＣＦ３，  ＣＦ２＝ＣＦＣＦ２ＯＣＨ３，  ＣＦ２＝ＣＦＣＦ２ＯＣＨ２Ｆ，  ＣＦ２＝ＣＦＣＦ２ＯＣＦ２Ｈ，  ＣＦ２＝ＣＦＣＦ２ＯＣＦ３，  （ＣＦ３）２Ｃ＝ＣＦＯＣＨ３，  （ＣＦ３）２Ｃ＝ＣＦＯＣＨ２Ｆ，  （ＣＦ３）２Ｃ＝ＣＦＯＣＦ２Ｈ，  （ＣＦ３）２Ｃ＝ＣＦＯＣＨ３，  ＣＦ２＝Ｃ（ＣＦ３）ＣＦ２ＯＣＨ３，  ＣＦ２＝Ｃ（ＣＦ３）ＣＦ２ＯＣＨ２Ｆ，ＣＦ２＝Ｃ（ＣＦ３）ＣＦ２ＯＣＦ２Ｈ及びＣＦ２＝Ｃ（ＣＦ３）ＣＦ２ＯＣＦ３からなる群から選択される飽和フッ素化Ｃ４又はＣ５ハイドロフルオロエーテルを生成する方法であって、該方法は、
(i)  第１反応生成物を生成するために、塩基の存在の下Ｃ１アルコールをフッ素化Ｃ３又はＣ４アルケンと反応させる過程と、
(ii)  第２反応生成物を生成するために、前記第１反応生成物をＣｌで塩素化する過程と、
(iii)  飽和フッ素化Ｃ４又はＣ５ハイドロフルオロエーテルを生成するために、前記第２反応生成物をＨＦでフッ素化する過程と、
を具備することを特徴とする飽和フッ素化Ｃ４又はＣ５ハイドロフルオロエーテルの生成方法。
【請求項１１】
請求項１１に記載の方法において、前記塩基は、水酸化ナトリウム又はカリウムからなる群から選択されるものであることを特徴とする飽和フッ素化Ｃ４又はＣ５ハイドロフルオロエーテルの生成方法。
【請求項１２】
ＣＦ３ＣＨＦＣＦ２ＯＣＦ３からなる組成物。
【手続補正書】
【提出日】平成15年12月9日(2003.12.9)
【手続補正１】
【補正対象書類名】明細書
【補正対象項目名】特許請求の範囲
【補正方法】変更
【補正の内容】
【特許請求の範囲】
【請求項１】
第一のタバコ煙フィルターセグメントを製造する方法であって、
（ａ）一以上の銅含有ポルフィリンを用意する工程；
（ｂ）セルロース繊維、硫酸ナトリウム、塩素水及び銅含有ポルフィリンの混合物を製造する工程；
（ｃ）セルロース繊維に銅含有ポルフィリンを共有結合させるのに十分な一以上の温度で十分な時間混合物を加熱する工程；
（ｄ）共有結合した銅含有ポルフィリンを有するセルロース繊維から第一のタバコ煙フィルターセグメントを形成する工程；
を含んでなる方法。
【請求項２】
第一のタバコ煙フィルターセグメントを製造する方法であって、
（ａ）一以上の銅含有ポルフィリンを用意する工程；
（ｂ）セルロース繊維と銅含有ポルフィリンの混合物を製造する工程；
（ｃ）セルロース繊維に銅含有ポルフィリンを共有結合させるのに十分な一以上の温度で十分な時間混合物を加熱する工程；
（ｄ）共有結合した銅含有ポルフィリンを有するセルロース繊維の混合物をすすぐ工程；
（ｅ）共有結合した銅含有ポルフィリンを有するセルロース繊維から第一のタバコ煙フィルターセグメントを形成する工程；
を含んでなる方法。
【請求項３】
喫煙具を製造する方法において、
（ａ）（ｉ）一以上の銅含有ポルフィリンを用意すること；
（ｉｉ）セルロース繊維と銅含有ポルフィリンの混合物を製造すること；
（ｉｉｉ）セルロース繊維に銅含有ポルフィリンを共有結合させるのに十分な一以上の温度で十分な時間混合物を加熱すること；
（ｉｖ）共有結合した銅含有ポルフィリンを有するセルロース繊維から第一のタバコ煙フィルターセグメントを形成すること
により、第一のタバコ煙フィルターセグメントを用意する工程；
（ｂ）第一のタバコ煙フィルターセグメントを、分割されたタバコの本体に固着させる工程；
（ｃ）銅含有ポルフィリンを実質的に含まない第二のタバコ煙フィルターセグメントを、分割されたタバコの本体に固着させる工程；
を含む方法。
【請求項４】
混合物を加熱した後に、混合物をすすぐことを更に含む、請求項１又は３に記載の方法。
【請求項５】
混合物が硫酸ナトリウムと塩素水を更に含有する、請求項２ないし４の何れか１項に記載の方法。
【請求項６】
銅含有ポルフィリンを実質的に含まない第二のタバコ煙フィルターセグメントを、分割されたタバコの本体に固着させる工程を更に含む、請求項１又は２に記載の方法。
【請求項７】
分割されたタバコの本体に固着された第二のタバコ煙フィルターセグメントがトリアセチンで処理された酢酸セルロース繊維を含む、請求項３又は６に記載の方法。
【請求項８】
用意される銅含有ポルフィリンが銅フタロシアニンである、請求項１ないし７の何れか１項に記載の方法。
【請求項９】
用意される銅含有ポルフィリンがＣ.Ｉ.反応性ブルー２１染料である、請求項１ないし８の何れか１項に記載の方法。
【請求項１０】
製造されるセルロース繊維と銅含有ポルフィリンの混合物が、重量で約１．２：１０のセルロース繊維に対する銅含有ポルフィリンの比を有する、請求項１ないし９の何れか１項に記載の方法。
【請求項１１】
第一のタバコ煙フィルターセグメントを製造する方法であって、
（ａ）Ｃ.Ｉ.反応性ブルー２１染料の鉄類似体を用意する工程；
（ｂ）セルロース繊維とＣ.Ｉ.反応性ブルー２１染料の鉄類似体との混合物を製造する工程；
（ｃ）セルロース繊維にＣ.Ｉ.反応性ブルー２１染料の鉄類似体を共有結合させるのに十分な一以上の温度で十分な時間混合物を加熱する工程；
（ｄ）共有結合したＣ.Ｉ.反応性ブルー２１染料の鉄類似体を有するセルロース繊維から第一のタバコ煙フィルターセグメントを形成する工程；
を含んでなる方法。
【請求項１２】
混合物が硫酸ナトリウムと塩素水を更に含有する、請求項１１に記載の方法。
【請求項１３】
混合物を加熱した後に、混合物をすすぐことを更に含む、請求項１１に記載の方法。
【請求項１４】
Ｃ.Ｉ.反応性ブルー２１染料の鉄類似体を実質的に含まない第二のタバコ煙フィルターセグメントを、分割されたタバコの本体に固着させる工程を更に含む、請求項１１に記載の方法。
【請求項１５】
分割されたタバコの本体に固着された第二のタバコ煙フィルターセグメントがトリアセチンで処理された酢酸セルロース繊維を含む、請求項１４に記載の方法。
【請求項１６】
セルロース繊維に一以上の更なる物質を加えることを更に含む、請求項１ないし１５の何れか１項に記載の方法。
【請求項１７】
一以上の更なる物質が、活性炭、キチン及びリグニンからなる群から選択される、請求項１６に記載の方法。
【請求項１８】
一以上の更なる物質が、抗酸化剤、ドライウォーター、湿潤剤、マイクロカプセル、ラジカルスカベンジャー、界面活性剤並びにこれらの組み合わせからなる群から選択される、請求項１６に記載の方法。
【請求項１９】
請求項１又は２に従って製造された第一のタバコ煙フィルターセグメントを含むタバコ煙フィルター。
【請求項２０】
喫煙具を製造する方法において、
（ａ）請求項１、２又は１１に従って製造された第一のタバコ煙フィルターセグメントを用意する工程；
（ｂ）第一のタバコ煙フィルターセグメントを、分割されたタバコの本体に固着させる工程；
を含んでなる方法。
【請求項２１】
請求項３又は２０に記載された方法によって製造された喫煙具。
【請求項２２】
タバコの煙を濾過する方法において、
（ａ）請求項２１に記載の喫煙具を用意する工程；
（ｂ）煙が分割されたタバコの本体を通過してフィルター中に入るように、分割されたタバコの本体に火をつける工程；
（ｃ）煙がフィルターを通過するようにし、それによって煙を濾過する工程；
を含んでなる方法。
【請求項２３】
Ｃ.Ｉ.反応性ブルー２１染料の鉄類似体。
【請求項２４】
Ｃ.Ｉ.反応性ブルー２１染料の鉄類似体を含浸させた紙。
【手続補正書】
【提出日】平成15年7月9日(2003.7.9)
【手続補正１】
【補正対象書類名】明細書
【補正対象項目名】特許請求の範囲
【補正方法】変更
【補正の内容】
【特許請求の範囲】
【請求項１】
タンパク質に対するホスホキナーゼ活性を測定するための方法であって、
（ａ）タンパク質に対しホスホキナーゼが作用し、該タンパク質上のリン酸化部位をリン酸化するステップと、
（ｂ）該タンパク質のリン酸化形態および非リン酸化形態に結合する抗体によって、該タンパク質を捕獲するステップと、
（ｃ）リン酸化された該タンパク質上のリン酸化部位に特異性を持つ抗体を提供するステップと、
（ｄ）（ｂ）で捕獲されたタンパク質を（ｃ）の抗体と接触させるステップと、
（ｅ）該リン酸化されたリン酸化部位に結合した抗体を検出するステップと、
からなる方法。
【請求項２】
前記タンパク質がタウタンパク質（Tau protein）であることを特徴とする請求項１に記載の方法。
【請求項３】
前記ホスホキナーゼがＧＳＫ−３β、ＰＫＡ、ＰＫＣ、ＣＤＫ−５、ＭＡＲＫ、ＪＮＫ、ｐ３８ＭＡＰＫまたはカゼインキナーゼＩＩであることを特徴とする請求項２に記載の方法。
【請求項４】
前記抗体が、表ＩＩに示される部位から選択される前記タウタンパク質中の特定の位置におけるリン酸化部位に特異性を持つことを特徴とする請求項２に記載の方法。
【請求項５】
前記タンパク質が表１におけるタンパク質から選択されることを特徴とする請求項１に記載の方法。
【請求項６】
前記タンパク質がＥＧＦＲであることを特徴とする請求項１に記載の方法。
【請求項７】
前記タンパク質がＲｂであることを特徴とする請求項１に記載の方法。
【請求項８】
配列番号１に特異性を持つ抗体。
【請求項９】
配列番号２に特異性を持つ抗体。
【請求項１０】
タンパク質に対するホスホキナーゼ活性の測定のためのキットであって、
（ａ）該タンパク質のリン酸化形態および非リン酸化形態の両方に特異性をもち、かつ、その両方に結合する第一パン（ｐａｎ）抗体と、
（ｂ）該第一パン抗体から独立した該タンパク質上の部位に結合する、標識されている第二パン抗体と、
（ｃ）非リン酸化タンパク質スタンダードおよびリン酸化タンパク質スタンダードと、
（ｄ）該タンパク質上の標的部位がリン酸化される場合にのみ該タンパク質に結合する、標識されているリン酸化部位に特異性を持つ抗体（ＰＳＳＡ）と、
（ｅ）緩衝液と、
からなるキット。
【請求項１１】
前記タンパク質がタウであることを特徴とする請求項１０に記載のキット。
【請求項１２】
前記タンパク質が表１に列挙されるタンパク質から選択されることを特徴とする請求項１０に記載のキット。
【請求項１３】
リン酸化部位のプロフィールを定量することによる、タンパク質に対する異なるキナーゼ活性の測定のためのキットであって、
（ａ）該タンパク質のリン酸化形態および非リン酸化形態の両方に結合する第一パン抗体と、
（ｂ）該第一パン抗体から独立したタンパク質上の部位に結合する、標識されている第二パン抗体と、
（ｃ）該タンパク質の非リン酸化形態およびリン酸化形態についてのタンパク質スタンダードと、
（ｄ）タンパク質上の標的部位がリン酸化される場合にのみ該タンパク質に結合する、存在がわかるように標識されている２つ以上のＰＳＳＡと、
（ｅ）緩衝液と、
からなるキット。
【請求項１４】
前記タンパク質がタウであることを特徴とする請求項１３に記載のキット。
【請求項１５】
前記タンパク質が表１に規定されることを特徴とする請求項１３に記載のキット。
【手続補正書】
【提出日】平成15年11月10日(2003.11.10)
【手続補正１】
【補正対象書類名】明細書
【補正対象項目名】特許請求の範囲
【補正方法】変更
【補正の内容】
【特許請求の範囲】
【請求項１】
２つの隣接する脊椎を機械的に接続するための背骨用インプラントであって、
第１の表面及びそれと反対側の第２の表面を有する本体を含んでおり、当該第１及び第２の表面は隣接する脊椎に本体を固定するための少なくとも１の突起部材を含み、ここで、当該インプラントは、脊椎の融合のために十分な引張強さ及びせん断強さを有し、骨移植を要することなく脊椎の融合を達成するのに有効である、
当該背骨用インプラント。
【請求項２】
本体及び第１及び第２の突起部材の外面が生体活性塗料を含む、請求項１に記載の背骨用インプラント。
【請求項３】
突起部材がＺ型さね（ｄｏｖｅｔａｉｌ  ｔｏｎｇｕｅ）の突起の形状である、請求項１に記載の背骨用インプラント。
【請求項４】
向い合う表面の少なくとも１が複数の突起部材を含む、請求項１に記載の背骨用インプラント。
【請求項５】
少なくとも１の突起部材が、１８０度を越えて包囲する概ね弓型の部分を含む輪郭を有する、請求項１に記載の背骨用インプラント。
【請求項６】
少なくとも１の突起部材が１対の膨らみ（ｂｕｌｇｅ）を含む請求項１に記載の背骨用インプラントであって、
当該膨らみは、少なくとも１の突起部材を含む対応表面に垂直な平面の両側にあり、
当該平面は、対応表面から最大距離にある少なくとも１の突起部材上の点を通り、
当該膨らみは、対応表面における各膨らみの突起が、いずれの膨らみよりも表面に近い突起部材の任意の部分の対応表面における突起よりも大きくなるものであり、
その結果、少なくとも１の突起部材が、少なくとも１の部材を受け入れるために適切に調製された脊椎と噛み合うことができるように成形される、
当該背骨用インプラント。
【請求項７】
少なくとも１の表面が複数の突起部材を含む、請求項６に記載の背骨用インプラント。
【請求項８】
各表面が２つの突起部材を含む、請求項６に記載の背骨用インプラント。
【請求項９】
少なくとも１の突起部材が、１８０度を越えて包囲する概ね弓型の部分を含む輪郭を有する、請求項６に記載の背骨用インプラント。
【請求項１０】
２つの隣接する脊椎を機械的に接続するための背骨用インプラントであって、
第１の表面及びそれと反対側の第２の表面を有する本体を含んでおり、当該第１及び第２の表面は隣接する脊椎に本体を固定するための少なくとも１の突起部材を含み、
ここで、各突起部材は１対の膨らみを含み、
当該膨らみは、突起部材を含む対応表面に垂直な平面の両側にあり、
当該平面は、対応表面から最大距離にある少なくとも１の突起部材上の点を通り、
当該膨らみは、対応表面における各膨らみの突起が、いずれの膨らみよりも表面に近い突起部材の任意の部分の対応表面における突起よりも大きくなるものであり、
その結果、少なくとも１の突起部材が、少なくとも１の部材を受け入れるために適切に調製された脊椎と噛み合うことができるように成形される、
当該背骨用インプラント。
【請求項１１】
各突起部材が、１８０度を越えて包囲する概ね弓型の部分を含む輪郭を有する、請求項１０に記載の背骨用インプラント。
【請求項１２】
各表面が２つの突起部材を含む、請求項１０に記載の背骨用インプラント。
【請求項１３】
インプラントが骨移植を要することなく脊椎の融合を達成するのに有効である、請求項１０に記載の背骨用インプラント。
【請求項１４】
第１の脊椎を第２の隣接する脊椎へ融合させる方法であって、
ａ．インプラントを提供する工程であって、当該インプラントは第１の表面及びそれと反対側の第２の表面を有する本体を含み、ここで、各表面は、隣接する脊椎へ本体を固定するための少なくとも１の突起部材を含み、インプラントは脊椎の融合のために十分な引張強さ及びせん断強さを有する、当該工程、
ｂ．第１の表面における少なくとも１の突起部材の各々に対応する少なくとも１の鍵溝を第１の脊椎に形成し、第２の表面における少なくとも１の突起部材の各々に対応する少なくとも１の鍵溝を第２の脊椎に形成する工程、及び、
ｃ．各突起部材がそれぞれに対応する鍵溝へ滑り込むような形で、第１の脊椎と第２の脊椎の間にインプラントを挿入する工程、
を含み、骨移植を要することなく脊椎の融合が達成される、当該方法。
【請求項１５】
インプラントの向い合う表面の少なくとも１が複数の突起部材を含む、請求項１４に記載の方法。
【請求項１６】
本体及びインプラントの突起部材の外面が生体活性塗料を含む、請求項１４に記載の方法。
【請求項１７】
インプラントの少なくとも１の突起部材が１対の膨らみを含む請求項１４に記載の方法であって、
当該膨らみは、表面に垂直な平面の両側にあり、
当該平面は、表面から最大距離にある少なくとも１の突起部材上の点を通り、
当該膨らみは、対応表面における各膨らみの突起が、いずれの膨らみよりも表面に近い突起部材の任意の部分の対応表面における突起よりも大きくなるものであり、
その結果、少なくとも１の突起部材が、少なくとも１の部材を受け入れるために適切に調製された脊椎と噛み合うことができるように成形される、
当該方法。
【請求項１８】
インプラントの少なくとも１の突起部材が、１８０度を越えて包囲する概ね弓型の部分を含む輪郭を有する、請求項１４に記載の方法。
【請求項１９】
表面の少なくとも１の突起部材が２つの部材を含む、請求項１４に記載の方法。
【手続補正書】
【提出日】平成15年5月22日(2003.5.22)
【手続補正１】
【補正対象書類名】明細書
【補正対象項目名】図８
【補正方法】変更
【補正の内容】
【図８】
図８（Ａ）から図８（Ｄ）は、シールの正面図、及び医療器具のシールへの挿入を図示した一連の略断面図である。
【手続補正書】
【提出日】平成16年9月9日(2004.9.9)
【手続補正１】
【補正対象書類名】明細書
【補正対象項目名】特許請求の範囲
【補正方法】変更
【補正の内容】
【特許請求の範囲】
【請求項１】
内部管腔を有する複数の細長い中空微孔性繊維、および血漿を拡散させることが可能な孔径を有する繊維壁を含む、患者の血管に挿入するためのフィルタ、
バックフラッシュ液を前記繊維管腔へ誘導するための第１の管腔、および前記繊維管腔から血漿を誘導するための第２の管腔を含む、前記内部管腔と流体連通している多重管腔を有するカテーテル、および
バックフラッシュにより前記繊維壁の孔を洗浄するのに十分な圧力および時間で、バックフラッシュ液を前記繊維管腔へ注入するための１つまたは複数のポンプ
を具備するｉｎ  ｖｉｖｏプラズマフェレーシスを実施するための装置。
【請求項２】
前記ポンプの１つは、該ポンプを通してバックフラッシュ液を注入するための前記第１の管腔に流体連通している、請求項１に記載の装置。
【請求項３】
前記ポンプおよび前記第１の管腔に流体連通しているバックフラッシュ液供給源を含む、請求項２に記載の装置。
【請求項４】
１つまたは複数のポンプに作動可能なように接続されたマイクロプロセッサ／コントローラを含む、請求項２に記載の装置。
【請求項５】
前記マイクロプロセッサ／コントローラ、および前記１つまたは複数のポンプは、バックフラッシュにより膜孔を実質的に洗浄するのに十分な時間および流速で、前記バックフラッシュ液を前記微孔性膜繊維へ誘導するように協働する、請求項４に記載の装置。
【請求項６】
前記マイクロプロセッサ／コントローラ、および前記１つまたは複数のポンプは、膜孔を実質的に洗浄するのに十分な圧力で、前記バックフラッシュ液を前記微孔性膜繊維へ誘導するように協働する、請求項５に記載の装置。
【請求項７】
前記第１の管腔と流体連通している第１のポンプ、および血漿を前記フィルタから血漿処理装置に注入するための第２の管腔と流体連通している第２のポンプを具備する、請求項１に記載の装置。
【請求項８】
血漿を血漿処理装置から前記血管に注入するための第３の管腔と流体連通している第３
のポンプを含む、請求項７に記載の装置。
【請求項９】
前記第１のポンプ、第２のポンプ、および第３のポンプに作動可能なように接続されたマイクロプロセッサ／コントローラを含む、請求項８に記載の装置。
【請求項１０】
前記マイクロプロセッサ／コントローラ、および前記ポンプは、バックフラッシュにより膜孔を実質的に洗浄するのに十分な時間および流速で、前記バックフラッシュ液を前記微孔性膜繊維へ誘導するように協働する、請求項９に記載の装置。
【請求項１１】
前記マイクロプロセッサ／コントローラ、および前記ポンプは、膜孔を実質的に洗浄するのに十分な圧力で、前記バックフラッシュ液を前記微孔性膜繊維へ誘導するように協働する、請求項１０に記載の装置。
【請求項１２】
分離された血漿構成成分を、血漿処理装置から容器に注入するための、ポンプおよび該ポンプと協働する導管を含む、請求項７、８、９、または１０に記載の装置。
【請求項１３】
前記１つまたは複数のポンプは、１５〜１００ｍｍＨｇの圧力で、５〜５０秒間、前記バックフラッシュ液を注入することが可能である、請求項１に記載の装置。
【請求項１４】
前記１つまたは複数のポンプは、５〜４５ｍｌ／分の速度で、前記バックフラッシュ液を注入することが可能である、請求項１に記載の装置。
【請求項１５】
前記繊維は、２×１０4〜４×１０6ダルトンのふるい係数カットオフを有する、請求項１に記載の装置。
【請求項１６】
前記繊維は、内壁表面と外壁表面との間に複数の帯域を有する繊維壁を具備し、該帯域のそれぞれが、隣接する帯域の質量密度と異なる質量密度を有し、前記繊維壁は、該内壁表面では低質量密度帯域を、かつ該外壁表面では高質量密度帯域を有することを特徴とする、請求項１に記載の装置。
【請求項１７】
前記繊維壁は２つの質量密度帯域を有する、請求項１６に記載の装置。
【請求項１８】
前記繊維壁は３つの質量密度帯域を有する、請求項１６に記載の装置。
【請求項１９】
前記繊維壁は４つまたはそれ以上の質量密度帯域を有する、請求項１６に記載の装置。
【請求項２０】
前記帯域のそれぞれは、異なる平均公称孔径を有することを特徴とする、請求項１７、１８または１９に記載の装置。
【請求項２１】
ｉｎ  ｖｉｖｏプラズマフェレーシスを実施することができる装置であって、前記低質量密度帯域は、１μｍ〜６０μｍの公称平均孔径を有することを特徴とする、請求項２０に記載の装置。
【請求項２２】
前記高質量密度帯域は、０．３μｍ〜１μｍの公称平均孔径を有することを特徴とする、請求項２０に記載の装置。
【請求項２３】
前記高質量密度帯域は、０．３μｍ〜１μｍの公称平均孔径を有することを特徴とする、請求項２１に記載の装置。
【請求項２４】
５〜２０ｍｍＨｇの膜内外圧差で、少なくとも０．７５（ｍｌ／分）（ｃｍ2×ｍｍＨ
ｇ）の血漿を抽出する能力を有することを特徴とする、請求項１６に記載の装置。
【請求項２５】
前記バックフラッシュ液を注入するための前記第１の管腔と協働している１つまたは複数の第１のポンプ、および前記繊維から血漿を送り出すための前記第２の管腔と協働している１つまたは複数の第２のポンプを具備する、請求項１に記載の装置。
【請求項２６】
血漿を注入するための第３の管腔と協働している１つまたは複数の第３のポンプを含む、請求項２５に記載の装置。
【請求項２７】
前記繊維を通して拡散された血漿から毒素を除去するための血漿処理装置を含む、請求項２６に記載の装置。
【請求項２８】
分離された血漿構成成分を、血漿処理装置から容器に注入するための、ポンプおよび該ポンプと協働する導管を含む、請求項２７に記載の装置。
【手続補正２】
【補正対象書類名】明細書
【補正対象項目名】０００６
【補正方法】変更
【補正の内容】
【０００６】
上記装置はまた、血漿滲出液中の構成成分であって処理装置３４で分離されるべきである、つまり患者に戻されるべきではない毒素、過剰な血漿水等のような血漿構成成分を収集および処分する手段を提供する。かかる手段は、導管３７を通して血漿処理装置に接続されており、収集容器３９、および血漿滲出液から除去されるべき流出液を、容器に注入するためのポンプ２８を含む。
【手続補正書】
【提出日】平成16年12月20日(2004.12.20)
【手続補正１】
【補正対象書類名】明細書
【補正対象項目名】特許請求の範囲
【補正方法】変更
【補正の内容】
【特許請求の範囲】
【請求項１】  エポキシアミンおよび硬化剤を含む接着剤組成物であって、該エポキシアミンが約２５重量％〜約９０重量％の濃度で存在することを特徴とする、接着剤組成物。
【請求項２】  前記エポキシアミンがトリグリシジルアミンである、請求項１記載の接着剤組成物。
【請求項３】  前記硬化剤が、硫黄含有官能基、窒素含有官能基および酸素含有官能基からなる群から選択される官能基を含む、請求項１記載の接着剤組成物。
【請求項４】  前記硬化剤が、チオール、アルコールおよびアミンからなる群から選択される官能基を含む、請求項１記載の接着剤組成物。
【請求項５】  前記接着剤組成物がさらに可撓性付与剤を含む、請求項１記載の接着剤組成物。
【請求項６】  前記可撓性付与剤が、コラーゲン、アルブミン、グリコサミノグリカンおよびそれらの組合せからなる群から選択される、請求項１記載の接着剤組成物。
【請求項７】  さらに生物学的応答変性剤を含む、請求項１記載の接着剤組成物。
【請求項８】  前記生物学的応答変性剤がトランスフォーミング成長因子−ベータを含む、請求項７記載の接着剤組成物。
【請求項９】  第１基材を含むプロテーゼであって、該第１基材が接着剤組成物と接し、該接着剤組成物がエポキシアミンを含み、該接着剤組成物中のエポキシアミンの濃度が約２５重量％〜約９０重量％である、プロテーゼ。
【請求項１０】  前記プロテーゼが第２基材を含み、前記第１基材および該第２基材が前記接着剤組成物から形成された接着結合によって接着される、請求項９記載のプロテーゼ。
【請求項１１】  前記第２基材が組織および合成材料からなる群から選択される、請求項１０記載のプロテーゼ。
【請求項１２】  前記第１基材が組織および合成材料からなる群から選択される、請求項９記載のプロテーゼ。
【請求項１３】  前記プロテーゼが心臓弁プロテーゼ、弁輪形成リング、外科パッチおよびペースメーカーからなる群から選択される、請求項９記載のプロテーゼ。
【請求項１４】  接着剤組成物を含む第１基材を第２基材へ接触させて、該第１基材および該第２基材との間の接着結合を形成する工程を包含し、該接着剤組成物がエポキシアミンを含む、第１基材を第２基材へ固定する方法。
【請求項１５】  前記エポキシアミンが第１基材と接し、前記硬化剤が第２基材と接し、そして２つの基材が組み合わせられ硬化する場合に接着結合が形成される、請求項１４記載の方法。
【請求項１６】  第１弁成分を接着剤組成物と接させる工程、および
該第１弁成分を第２弁成分と接着させて、該第１弁成分と該第２弁成分との間に接着結合を形成する工程、
を包含し、該接着剤組成物がエポキシアミンを含む、心臓弁プロテーゼを製造する方法。
【手続補正書】
【提出日】平成16年11月15日(2004.11.15)
【手続補正１】
【補正対象書類名】明細書
【補正対象項目名】特許請求の範囲
【補正方法】変更
【補正の内容】
【特許請求の範囲】
【請求項１】  台と共有結合によって立体配座的に束縛されたタンパク質認識ドメインを含む細胞内認識分子Rであって、前記認識分子Rが細胞内で予め決められた細胞内標的分子T上の部位と特異的に相互に作用する能力を有し、Tとの前記相互作用が5×10-9 M以下のKd値に対応する親和力で生じる、前記細胞内認識分子R。
【請求項２】  前記認識ドメインがアミノ酸5〜60個、好ましくはアミノ酸10〜40個の長さを有するペプチドを含むかまたはそれから成る、請求項1に記載の細胞内認識分子R。
【請求項３】  前記台がチオレドキシン（TRX）またはTRXに似たタンパク質である、請求項1に記載の細胞内認識分子R。
【請求項４】  前記細胞内標的分子TがBaxである、請求項1に記載の細胞内認識分子。
【請求項５】  請求項1に記載の細胞内認識分子Rを2〜4個含むオリゴマー細胞内認識分子であって、当該細胞内認識分子が直接またはリンカーを介して互いに共有結合により結合している、前記オリゴマー細胞内認識分子。
【請求項６】  共有結合により結合した2個の細胞内認識分子R1およびR2を含む二量体細胞内認識分子であって、
細胞内で予め決められた細胞内標的分子T１上の部位と特異的に相互に作用する能力を有するR1と、細胞内で予め決められた細胞内標的分子T2上の部位と特異的に相互に作用する能力を有するR2とが、それぞれ、台と共有結合によって立体配座的に束縛されたアミノ酸5〜60個の長さを有する認識ドメインVを含み、そして
R1とR2は同じでも異なっていてもよく、かつT１とT2は異質である、前記二量体細胞内認識分子。
【請求項７】  R1およびR2が同一であり、かつ、この細胞内認識分子が、2個の同一だが独立した標的分子T１およびT2と特異的かつ同時に結合する、請求項6に記載の二量体細胞内認識分子。
【請求項８】  R1およびR2が異なっており、かつ、この細胞内認識分子が、2個の異なる独立した標的分子T１およびT2と特異的かつ同時に結合する、請求項6に記載の二量体細胞内認識分子。
【請求項９】  前記標的分子T１およびT2が、認識分子の存在下で細胞内で検出可能に互いに相互作用しない、請求項7または8に記載の二量体細胞内認識分子。
【請求項１０】  2個の標的分子T１とT2の間、および／または細胞内でT１またはT2と直接または間接的に相互作用する細胞構成成分Cとの間の相互作用を強化する能力を有する二量体認識部分の識別方法であって、前記方法が以下の：
a）ペプチド、いわゆる認識部分Rのランダムプールを生成するステップと、
b）T１またはT2と相互に作用することができる認識部分Rの識別を可能にするのに適した条件で細胞内のT１およびT2に関してa）で生成したランダムプールをスクリーニングするステップと、
c）場合により、b）で選択された部分をT１およびT2とは別のタンパク質と接触させて前記分子部分のそれぞれの特異性範囲を決定し、また所望の特異性範囲を有する分子部分を識別するステップと、
d）2個の上記のようにして識別された認識部分R１およびR2を互いに共有結合により結合して二量体認識部分を形成するステップと、
e）二量体認識部分をスクリーニングして同時にT１およびT2と相互に作用することができる分子部分を識別するステップ
とを含む、前記方法。